(57)【要約】【課題】  伝送ライン上を流れるデータの内容が容易に盗まれるのを防止するエレベータ用データ伝送システムを提供すること。【解決手段】  伝送制御回路１２は、各コントローラに設けられているものであり、その伝送インタフェース回路３２は暗号化手段９及び復号化手段１０を有している。暗号化手段９は、他のコントローラに対して、アドレスデータ又は情報データを送信信号１６として送信する場合に、このアドレスデータ又は情報データを暗号化するものである。また、復号化手段１０は、他のコントローラから、暗号化されたアドレスデータ又は情報データを受信信号１７として受信した場合に、この暗号化されたデータの復号化を行う。【選択図】  図６
2006151582.tif 000002
【特許請求の範囲】
【請求項１】
マスタコントローラとスレーブコントローラとの間で伝送ラインを介してデータの送受信を行うエレベータ用データ伝送システムにおいて、各コントローラは、前記データを送信する際に前記データを暗号化する暗号化手段と、前記暗号化されたデータを受信する際に前記暗号化されたデータを復号化する復号化手段と、を備えたものである、
ことを特徴とするエレベータ用データ伝送システム。
【請求項２】
前記暗号化手段が暗号化するデータは、受信側コントローラのアドレスデータである、
ことを特徴とする請求項１記載のエレベータ用データ伝送システム。
【請求項３】
前記暗号化手段が暗号化するデータは情報データである、
ことを特徴とする請求項１又は２記載のエレベータ用データ伝送システム。
【請求項４】
前記暗号化手段による暗号化は、データ変換により行われる、
ことを特徴とする請求項１乃至３のいずれかに記載のエレベータ用データ伝送システム。
【請求項５】
前記暗号化手段による情報データの暗号化は、データ挿入により行われる、
ことを特徴とする請求項３記載のエレベータ用データ伝送システム。
【請求項６】
前記暗号化手段による情報データの暗号化は、グループ単位毎のデータ変換により行われる、
ことを特徴とする請求項３記載のエレベータ用データ伝送システム。
【請求項７】
前記暗号化手段による情報データの暗号化は、ダミービット挿入により行われる、
ことを特徴とする請求項３記載のエレベータ用データ伝送システム。
【請求項８】
前記暗号化手段による情報データの暗号化は、ＣＲＣデータを用いたデータ変換により行われる、
ことを特徴とする請求項３記載のエレベータ用データ伝送システム。
【請求項９】
前記暗号化手段による情報データの暗号化は、伝送ボーレートの変化により行われる、
ことを特徴とする請求項３記載のエレベータ用データ伝送システム。
【請求項１０】
前記暗号化手段が行う暗号化の方式が、設定期間経過毎に変更されるものである、
ことを特徴とする請求項１乃至９のいずれかに記載のエレベータ用データ伝送システム。
【発明の詳細な説明】
【技術分野】
【０００１】
本発明は、マスタコントローラとスレーブコントローラとの間で伝送ラインを介してデータの送受信を行うエレベータ用データ伝送システムに関するものである。
【背景技術】
【０００２】
エレベータ制御システムは、システム全体の制御を司るエレベータ制御装置が、乗客の乗場呼び及びかご呼びに応答して、昇降路内に配設されているエレベータかごを昇降動させる制御を行うものである。ここで、上記のエレベータ制御装置は主制御コントローラとして所定場所に設置された制御盤内に収納されている。また、乗場呼び及びかご呼びは、それぞれ乗場ホール及びかごに配設されたホールコントローラ及びかごコントローラにより行われ、エレベータかごの昇降動は昇降路上部に配設された電動機コントローラにより行われる。
【０００３】
そして、これらのコントローラによりエレベータ制御を行う場合は、主制御コントローラをマスタコントローラとすると共に、ホールコントローラ、かごコントローラ、電動機コントローラ、及びその他のコントローラをスレーブコントローラとし、このマスタコントローラとスレーブコントローラとの間でデータの送受信をサイクリックに行うようになっている。このようなマスタコントローラとスレーブコントローラとの間でデータの送受信をサイクリックに行うエレベータ用データ伝送システムについては、例えば特許文献１に開示されている。
【０００４】
この特許文献１に係るデータ伝送方式では、所謂「マスタトーカ伝送」及び「マスタリスナ伝送」が採用されている。「マスタトーカ伝送」とは、マスタコントローラがスレーブコントローラにデータを送信しようとする場合に、マスタコントローラが伝送ライン上にアドレスデータ及び情報データ（本明細書では、アドレスデータ以外のデータであって、送信しようとするデータ本体を「情報データ」と呼ぶことにする）を流しておき、このアドレスデータと一致するアドレスを持つスレーブコントローラが伝送ライン上を流れる情報データを取り込むようにしたものである。また、「マスタリスナ伝送」とは、マスタコントローラがスレーブコントローラからデータを受信しようとする場合に、マスタコントローラが伝送ライン上にアドレスデータのみを流しておき、このアドレスデータと一致するアドレスを持つスレーブコントローラが伝送ラインを介してマスタコントローラに情報データを送信するようにしたものである。
【特許文献１】特開２００３−８１５４６号公報
【発明の開示】
【発明が解決しようとする課題】
【０００５】
ところで、近時は多くのビルがセキュリティ機能を強化しており、関係者以外のビル内入場やエレベータの利用を禁止するシステムを導入している。しかし、従来のエレベータシステムにおけるセキュリティ機能は、関係者以外の第三者のエレベータ利用を確実に制限することで防犯効果を向上させようとするような技術に関するものが殆どであり、エレベータのデータ伝送技術とセキュリティ機能とが結びつけて考えられることは殆どなかったのが実情である。
【０００６】
したがって、現在のエレベータ用データ伝送システムでは、例えば、悪意の第三者によりエレベータの伝送ラインに通信機器等が取り付けられたような場合は、単純なモニタ解析により簡単に重要なデータの内容を盗まれてしまう虞がある。そして、最近のエレベータシステムでは、認証装置のようなセキュリティ機器に対してエレベータ利用者のＩＤ情報やパスワードなどの機密性を要するデータが入力されるようになっているが、このような機密性の高いデータの内容が盗まれると、セキュリティ機能が有効に働かないばかりか、エレベータ利用者のプライバシーが侵害されることにもなりかねない。
【０００７】
本発明は上記事情に鑑みてなされたものであり、伝送ライン上を流れるデータの内容が容易に盗まれるのを防止するエレベータ用データ伝送システムを提供することを目的としている。
【課題を解決するための手段】
【０００８】
上記課題を解決するための手段として、請求項１記載の発明は、マスタコントローラとスレーブコントローラとの間で伝送ラインを介してデータの送受信を行うエレベータ用データ伝送システムにおいて、各コントローラは、前記データを送信する際に前記データを暗号化する暗号化手段と、前記暗号化されたデータを受信する際に前記暗号化されたデータを復号化する復号化手段と、を備えたものである、ことを特徴とする。
【０００９】
請求項２記載の発明は、請求項１記載の発明において、前記暗号化手段が暗号化するデータは、受信側コントローラのアドレスデータである、ことを特徴とする。
【００１０】
請求項３記載の発明は、請求項１又は２記載の発明において、前記暗号化手段が暗号化するデータは情報データである、ことを特徴とする。
【００１１】
請求項４記載の発明は、請求項１乃至３のいずれかに記載の発明において、前記暗号化手段による暗号化は、データ変換により行われる、ことを特徴とする。
【００１２】
請求項５記載の発明は、請求項３記載の発明において前記暗号化手段による情報データの暗号化は、データ挿入により行われる、ことを特徴とする。
【００１３】
請求項６記載の発明は、請求項３記載の発明において、前記暗号化手段による情報データの暗号化は、グループ単位毎のデータ変換により行われる、ことを特徴とする。
【００１４】
請求項７記載の発明は、請求項３記載の発明において、前記暗号化手段による情報データの暗号化は、ダミービット挿入により行われる、ことを特徴とする。
【００１５】
請求項８記載の発明は、請求項３記載の発明において、前記暗号化手段による情報データの暗号化は、ＣＲＣデータを用いたデータ変換により行われる、ことを特徴とする。
【００１６】
請求項９記載の発明は、請求項３記載の発明において、前記暗号化手段による情報データの暗号化は、伝送ボーレートの変化により行われる、ことを特徴とする。
【００１７】
請求項１０記載の発明は、請求項１乃至９のいずれかに記載の発明において、前記暗号化手段が行う暗号化の方式が、設定期間経過毎に変更されるものである、ことを特徴とする。
【発明の効果】
【００１８】
本発明によれば、マスタコントローラ及びスレーブコントローラの各コントローラは、データを送信する際には、このデータを暗号化手段により暗号化して伝送ライン上に流すようにしているので、データの内容が盗まれるのを防止することができる。また、各コントローラは、データを受信する際には、暗号化されて送られてきたデータを復号化手段により復号化するので、エレベータに関する制御を支障なく実行することができる。
【発明を実施するための最良の形態】
【００１９】
図１は、本発明の実施形態に係るエレベータ用データ伝送システムの全体構成図である。この図において、エレベータ制御コントローラ１はエレベータシステム全体の制御を司るものであり、所定場所に設置されているエレベータ制御盤内に配設されている。このエレベータ制御コントローラ１と、伝送ライン８を介して、複数のホールコントローラ３、かごコントローラ４、及びセキュリティ機器接続装置５とが接続されている。そして、セキュリティ機器接続装置５には、伝送ライン７を介してセキュリティ機器６が接続されている。
【００２０】
ホールコントローラ３は、各階床の乗場ホールに設けられているコントローラであり、乗客の乗場呼び釦の操作に基づく乗場呼び入力信号をエレベータ制御コントローラ１に送信したり、乗場呼び釦の点灯・消灯を制御したりするものである。同様に、かごコントローラ４は、かご内に設けられているコントローラであり、乗客のかご呼び釦の操作に基づくかご呼び入力信号をエレベータ制御コントローラ１に送信したり、かご呼び釦の点灯・消灯を制御したりするものである。
【００２１】
セキュリティ機器接続装置５は、セキュリティ機器６とエレベータ制御コントローラ１との間のデータ伝送を仲立ちするコントローラである。セキュリティ機器６としては、例えば、乗客がエレベータ利用を許可された者として登録されているか否かを識別する認証装置がある。
【００２２】
図１の構成において、エレベータ制御コントローラ１はマスタコントローラとして機能し、一方、ホールコントローラ３、かごコントローラ４、及びセキュリティ機器接続装置５はスレーブコントローラとして機能する。そして、マスタコントローラ側とスレーブコントローラ側との間でサイクリック伝送を行うようになっている。
【００２３】
図２は、図１におけるエレベータ制御コントローラ１の構成を示すブロック図である。この図に示すように、エレベータ制御コントローラ１は、ホストＣＰＵ１１、伝送制御回路１２、ＲＳ４８５インタフェース１３、共通ＲＡＭ１４、及び設定ＲＯＭ１８を有している。
【００２４】
ホストＣＰＵ１１は、かご動作制御・伝送データ内容の作成などを行うものであり、情報データが通るローカルバス２０と、バス制御信号が通るバス制御ライン１５を介して伝送制御回路１２と接続されている。
【００２５】
伝送制御回路１２は、ＲＡＭ入出力ライン２１を介して伝送設定データや伝送入出力データ等が蓄えられる共通ＲＡＭ１４と接続されている。そして、ホストＣＰＵ１１から伝送制御回路１２に対しアクセス要求を送出することにより、伝送制御回路１２が共通ＲＡＭ１４との間でデータ入出力を行うようになっている。
【００２６】
ＲＳ４８５インタフェース１３は、伝送制御回路１２からの送信信号１６を伝送ライン８上に出力するものであり、また、伝送ライン８からの信号を受信信号１７として伝送制御回路１２に出力するものである。すなわち、伝送制御回路１２は、ＲＳ４８５インタフェース１３を介して伝送ライン８と接続されている。
【００２７】
そして、伝送制御回路１２はホストＣＰＵ１１から伝送実施指令を受け取ると、共通ＲＡＭ１４から伝送動作設定データを読み出し、そのデータの内容に応じて送受信処理を行うようになっている。また、伝送制御回路１２は、ＲＯＭ入出力ライン１９を介して設定ＲＯＭ１８と接続されており、初期化時にこの設定ＲＯＭ１８から種別データおよび伝送動作設定データを取り出して、それを共通ＲＡＭ１４に保存するようになっている。更に、伝送制御回路１２は、ホストＣＰＵ１１からの指令により、共通ＲＡＭ１４に蓄えられた伝送動作設定データを設定ＲＯＭ１８に書き込むことができる。
【００２８】
図３は、図１におけるホールコントローラ３の構成を示すブロック図である。この図に示すように、ホールコントローラ３は、伝送制御回路１２、ＲＳ４８５インタフェース１３、共通ＲＡＭ１４、設定ＲＯＭ１８、押しボタン表示ＬＥＤ２２、及びアドレス指定スイッチ２３を有している。なお、伝送制御回路１２、ＲＳ４８５インタフェース１３、共通ＲＡＭ１４、及び設定ＲＯＭ１８は、図２と同様のものであるため説明を省略する。
【００２９】
押しボタン表示ＬＥＤ２２は、乗場ホールの操作盤に設けられ、乗場呼び釦として機能するものであり、ローカルバス２０及びバス制御ライン１５を介して伝送制御回路１２と接続されている。
【００３０】
アドレス指定スイッチ２３は、予め設定されているホールコントローラ３自身のアドレスをスイッチ入力情報２７として伝送制御回路１２に出力するものである。伝送制御回路１２は、マスタトーカ伝送やマスタリスナ伝送において、マスタ側から送られてくるアドレス情報が自己のアドレスと一致するか否かを、このスイッチ入力情報２７を用いて判別する。また、伝送制御回路１２は、伝送ライン８上に情報データを出力する場合は、スイッチ入力情報２７を自己のアドレスとして、この情報データに付加して出力するようになっている。
【００３１】
図４は、図１におけるかごコントローラ４の構成を示すブロック図である。この図に示すように、かごコントローラ４は、伝送制御回路１２、ＲＳ４８５インタフェース１３、共通ＲＡＭ１４、設定ＲＯＭ１８、押しボタン表示ＬＥＤ２２、及び装置番号指定スイッチ２８を有している。なお、伝送制御回路１２、ＲＳ４８５インタフェース１３、共通ＲＡＭ１４、及び設定ＲＯＭ１８は、図２と同様のものであるため説明を省略する。
【００３２】
押しボタン表示ＬＥＤ２２は、かご内の操作盤に設けられ、かご呼び釦として機能するものであり、ローカルバス２０及びバス制御ライン１５を介して伝送制御回路１２と接続されている。
【００３３】
装置番号指定スイッチ２８は、予め設定されているかごコントローラ４のアドレスに相当する装置番号をスイッチ入力情報２７として伝送制御回路１２に出力するものである。伝送制御回路１２は、マスタトーカ伝送やマスタリスナ伝送において、マスタ側から送られてくるアドレス情報が自己のアドレスと一致するか否かを、このスイッチ入力情報２７を用いて判別する。また、伝送制御回路１２は、伝送ライン８上に情報データを出力する場合は、スイッチ入力情報２７を自己の装置番号すなわちアドレスとして、この情報データに付加して出力するようになっている。
【００３４】
図５は、図１におけるセキュリティ機器接続装置５の構成を示すブロック図である。この図に示すように、セキュリティ機器接続装置５は、伝送制御回路１２、ＲＳ４８５インタフェース１３、共通ＲＡＭ１４、設定ＲＯＭ１８、装置番号指定スイッチ２８、及びセキュリティ機器接続インタフェース２９を有している。伝送制御回路１２は、セキュリティ機器接続インタフェース２９を介してセキュリティ機器６との間でデータの授受を行うようになっている。なお、伝送制御回路１２、ＲＳ４８５インタフェース１３、共通ＲＡＭ１４、及び設定ＲＯＭ１８は、図２と同様のものであり、また、装置番号指定スイッチ２８は、図４と同様のものであるため説明を省略する。
【００３５】
図６は、図２乃至図５における伝送制御回路１２の構成を示すブロック図である。但し、この図に示したスイッチ入力情報２７は、図３乃至図５の伝送制御回路１２に入力されるものであり、図２の伝送制御回路１２には入力されない。
【００３６】
図６に示すように、伝送制御回路１２は、バスインタフェース３１、伝送インタフェース回路３２、ＲＡＭインタフェース３３、及びＲＯＭインタフェース３４を有している。そして、伝送インタフェース回路３２は、暗号化手段９及び復号化手段１０を有している。
【００３７】
この暗号化手段９は、他のコントローラに対して、アドレスデータ又は情報データを送信信号１６として送信する場合に、このアドレスデータ又は情報データを暗号化するものである。このような暗号化を施すことにより、悪意の第三者が伝送ライン８上に通信機器を取り付けてデータ内容を容易に盗み取るのを有効に防止することができる。
【００３８】
また、復号化手段１０は、他のコントローラから、暗号化されたアドレスデータ又は情報データを受信信号１７として受信した場合に、この暗号化されたデータの復号化を行う。この復号化により、そのコントローラが本来受け持つエレベータに関する制御を支障なく実行することができる。
【００３９】
図７は、本発明の実施形態において、マスタコントローラ側とスレーブコントローラ側との間で行われるサイクリック伝送についての説明図であり、（ａ）はマスタトーカ伝送の場合のタイムチャート、（ｂ）はマスタリスナ伝送の場合のタイムチャートである。これらの図を用いて、マスタコントローラとスレーブコントローラとの間の送受信動作について説明する。
【００４０】
まず、図７（ａ）のマスタトーカ伝送において、マスタコントローラであるエレベータ制御コントローラ１が、あるスレーブコントローラ（例えば、ホールコントローラ３）にデータを送信しようとする場合、エレベータ制御コントローラ１は、ホールコントローラ３のアドレスデータにＣＲＣデータを付加し、これらのデータを伝送ライン８上に出力する。このアドレスデータは、上記の暗号化手段９により暗号化されたものである。続いて、エレベータ制御コントローラ１は、送信情報データを作成し、これにＣＲＣデータを付加して、これらのデータを伝送ライン８上に出力する。この送信情報データも、暗号化手段９により暗号化されたものである。
【００４１】
一方、ホールコントローラ３は、伝送ライン８上を流れるデータを監視してアドレス受信待ちをしており、アドレスデータを検出すると復号化手段１０がこれを復号化する。そして、この復号化したアドレスデータと、アドレス指定スイッチ２３のアドレスデータとが一致するか否かを検出し、もし一致していれば、このアドレスデータに続く情報データが自己向けのものであると判別し、伝送ライン８からこの情報データを受け取り、復号化手段１０で復号化する。ホールコントローラ３は、情報データの受け取り処理を完了した後、エレベータ制御コントローラ１に対して情報データを受け取った旨の応答を返すようにする。エレベータ制御コントローラ１では、所定時間以内にこの応答が返ってこない場合は、何らかの伝送異常が発生したと判別して、再度アドレスデータ及び情報データの送信を行うようにする。
【００４２】
次に、図７（ｂ）のマスタリスナ伝送において、あるスレーブコントローラ（例えば、かごコントローラ４）が、マスタコントローラであるエレベータ制御コントローラ１にデータを送信しようとする場合、かごコントローラ４は、伝送ライン８上を流れるデータを監視してアドレス受信待ちをする。
【００４３】
すなわち、マスタトーカ伝送の場合と同様に、エレベータ制御コントローラ１は、かごコントローラ４のアドレスデータにＣＲＣデータを付加し、これらのデータを伝送ライン８上に出力する。このアドレスデータは、エレベータ制御コントローラ１の暗号化手段９により暗号化されたものである。そして、かごコントローラ４は、アドレス受信待ちの状態において、アドレスデータを検出すると復号化手段１０がこれを復号化する。
【００４４】
かごコントローラ４では、この復号化したアドレスデータが、装置番号指定スイッチ２８のアドレスデータ（装置番号）と一致するか否かを検出し、もし一致していれば、自己に許可された送信タイミングであると判別し、送信情報データを作成すると共に、これにＣＲＣデータを付加し、これらのデータを伝送ライン８上に出力する。このとき作成された送信情報データも、かごコントローラ４の暗号化手段９により暗号化されたものであり、更に、この暗号化された送信情報には装置番号指定スイッチ２８の装置番号が付加されている。
【００４５】
エレベータ制御コントローラ１は、伝送ライン８上にかごコントローラ４のアドレスデータを送出した後、伝送ライン８上を流れるデータを監視しており、かごコントローラ４の装置番号が付加された情報データを検出すると、この情報データを受け取り、復号化手段１０で復号化する。
【００４６】
ところで、暗号化手段９が行う暗号化については種々の方式が考えられる。図８乃至図１４は、この暗号化方式（及び復号化方式）の具体例を示した説明図である。これらの図において、（ａ）は送信側コントローラにおける暗号化前の状態のデータ、（ｂ）は送信側コントローラにおける暗号化後であって送信しようとする状態のデータ、（ｃ）は受信側コントローラにおける受信した復号化前の状態のデータ、（ｄ）は受信側コントローラにおける復号化後の状態のデータ、をそれぞれ示している。
【００４７】
また、これらの図において、「実アドレス」とは暗号化前又は復号化後の実際のアドレスデータを意味し、「送信アドレス」とは暗号化されてこれから送信されようとするアドレスデータを意味し、「受信アドレス」とは受信された暗号化されたままのアドレスデータを意味している。同様に、「実データ」とは暗号化前又は復号化後の実際の情報データを意味し、「送信データ」とは暗号化されてこれから送信されようとする情報データを意味し、「受信データ」とは受信された暗号化されたままの情報データを意味している。なお、「アドレス」とは、受信側コントローラのアドレスを意味している。
【００４８】
図８は、データ変換によるアドレスデータ暗号化の例を示す説明図である。この場合の「データ変換によるアドレスデータ暗号化」の例としては、「実アドレス」に所定データ値を加算すること、又は「実アドレス」のデータビット位置を入れ換えること、あるいは更に、この加算と入れ換えとをミックスさせることなどがある。図示の例では、例えば、「実アドレス」１行目の”０００”が「送信アドレス」１行目に示すような”３００”に変換されている。
【００４９】
図９は、データ変換による情報データ暗号化の例を示す説明図である。この場合の「データ変換による情報データ暗号化」としては、「実データ」に所定データ値を加算すること、又は「実データ」のデータビット位置を入れ換えること、あるいは更に、この加算と入れ換えとを組み合わせることなどがある。図示の例では、例えば、「実データ」１行目の”１００１０００１”が「送信アドレス」１行目に示すような”０００１１００１”に変換されている。なお、「実データ」３行目の”１０１０１０１０”は変化せず、「送信データ」３行目でも”１０１０１０１０”となっているため変換していないように見えるが、このように変換を行わない処理も「変換」に含め、広義に解することとする。
【００５０】
図１０は、データ挿入による情報データ暗号化の例を示す説明図である。「データ挿入」の例としては、「実データ」に所定数のデータ値を挿入することなどがある。図示の例では、「送信データ」の３行目に、「実データ」にはなかった”１０００１０００”が挿入されている。この場合のダミービット挿入規則としては、一定間隔毎にしたり、アドレスに基づき算定したりすることができる。
【００５１】
図１１は、グループ単位毎のデータ変換による情報データ暗号化の例を示す説明図である。この「グループ単位毎の変換」の例としては、所定数のデータ値を１グループとして扱い、グループ単位でデータビット位置を入れ換えることなどがある。図示の例は、８ビットのデータについて上位４ビット又は下位４ビットを１グループとして扱っている。例えば、「実データ」２行目の上位４ビット”１１１１”と１行目の下位４ビット”０００１”とが組み合わされて、「送信データ」１行目に示すような”１１１１０００１”が生成されている。
【００５２】
図１２は、ダミービット挿入による情報データ暗号化の例を示す説明図である。図示の例では、例えば、「送信データ」２行目の”１１１１００１００”のうち最下位から３ビット目の”１”が挿入されたダミービットである。
【００５３】
図１３は、ＣＲＣデータを用いたデータ変換による情報データ暗号化の例を示す説明図である。「ＣＲＣデータを用いたデータ変換による情報データ暗号化」の例としては、情報データとＣＲＣデータとの間でデータビット位置を入れ換えること、又はダミービットを挿入すること、あるいはこれらを組み合わせることなどがある。例えば、「実データ」１行目の例では、”１００１０００１”が情報データで、”１１１１”がＣＲＣデータであるが、これらのデータビット位置を入れ換えたり、ダミービットを挿入したりすることにより、「送信データ」１行目に示すような”１０１０１０１１０００１１”が生成されている。
【００５４】
図１４は、伝送ボーレートの変化による情報データ暗号化の例を示す説明図である。図示の例は、「実データ」を、１．０〔Mbps〕、１．１〔Mbps〕、０．９〔Mbps〕のように伝送ボーレートを変化させて暗号化する例を示している。この場合の伝送ボーレート変更規則としては、一定間隔毎にしたり、アドレスに基づき算定したりすることができる。
【００５５】
なお、本実施形態において、暗号化手段９は、図８乃至図１４に示したような暗号化方式のうち、いずれかの１つの方式を用いて暗号化を行うが、この暗号化方式を定期的又は不定期的に、すなわち設定期間経過毎に、変更することが可能である。このように、暗号化方式を適宜変更することにより、伝送ライン上を流れるデータの内容が悪意の第三者に盗まれるのを一層有効に防ぐことが可能になる。
【図面の簡単な説明】
【００５６】
【図１】本発明の実施形態に係るエレベータ用データ伝送システムの全体構成図。
【図２】図１におけるエレベータ制御コントローラ１の構成を示すブロック図。
【図３】図１におけるホールコントローラ３の構成を示すブロック図。
【図４】図１におけるかごコントローラ４の構成を示すブロック図。
【図５】図１におけるセキュリティ機器接続装置５の構成を示すブロック図。
【図６】図２乃至図５における伝送制御回路１２の構成を示すブロック図。
【図７】本発明の実施形態における、マスタコントローラ側とスレーブコントローラ側との間で行われるサイクリック伝送についての説明図であり、（ａ）はマスタトーカ伝送の場合のタイムチャート、（ｂ）はマスタリスナ伝送の場合のタイムチャートを示している。
【図８】本発明の実施形態における、データ変換によるアドレスデータ暗号化の例を示す説明図。
【図９】本発明の実施形態における、データ変換による情報データ暗号化の例を示す説明図。
【図１０】本発明の実施形態における、データ挿入による情報データ暗号化の例を示す説明図。
【図１１】本発明の実施形態における、グループ単位毎のデータ変換による情報データ暗号化の例を示す説明図。
【図１２】本発明の実施形態における、ダミービット挿入による情報データ暗号化の例を示す説明図。
【図１３】本発明の実施形態における、ＣＲＣデータを用いたデータ変換による情報データ暗号化の例を示す説明図。
【図１４】本発明の実施形態における、伝送ボーレートの変化による情報データ暗号化の例を示す説明図。
【符号の説明】
【００５７】
１  エレベータ制御コントローラ
３  ホールコントローラ
４  かごコントローラ
５  セキュリティ機器接続装置
６  セキュリティ機器
７  伝送ライン
８  伝送ライン
９  暗号化手段
１０  復号化手段
１１  ホストＣＰＵ
１２  伝送制御回路
１３  ＲＳ４８５インタフェース
１４  共通ＲＡＭ
１５  バス制御ライン
１６  送信信号
１７  受信信号
１８  設定ＲＯＭ
１９  ＲＯＭ入出力ライン
２０  ローカルバス
２１  ＲＡＭ入出力ライン
２２  押しボタン表示ＬＥＤ
２３  アドレス指定スイッチ
２７  スイッチ入力情報
２８  装置番号指定スイッチ
２９  セキュリティ機器接続ＩＦ
３１  バスインタフェース
３２  伝送インタフェース回路
３３  ＲＡＭインタフェース
３４  ＲＯＭインタフェース
３５  伝送ＩＦ・バスＩＦ入出力信号
３６  バスＩＦ・ＲＡＭ入出力信号
３８  伝送ＩＦ・ＲＡＭ入出力信号
３９  バスＩＦ・ＲＯＭ入出力信号
【図１】
2006151582.tif 000003
【図２】
2006151582.tif 000004
【図３】
2006151582.tif 000005
【図４】
2006151582.tif 000006
【図５】
2006151582.tif 000007
【図６】
2006151582.tif 000008
【図７】
2006151582.tif 000009
【図８】
2006151582.tif 000010
【図９】
2006151582.tif 000011
【図１０】
2006151582.tif 000012
【図１１】
2006151582.tif 000013
【図１２】
2006151582.tif 000014
【図１３】
2006151582.tif 000015
【図１４】
2006151582.tif 000016